(57)【要約】【課題】複数の記録シートを部分的に重ねて搬送する際に、複数枚の記録シートの各々の斜行を矯正する。【解決手段】シート搬送装置は、搬送経路２００に沿って記録シートを搬送する第１の搬送手段２０１と、第１の搬送手段よりも記録シートの搬送方向Ｔの下流側に設けられ、搬送経路に沿って記録シートを搬送する第２の搬送手段３０１と、先行して搬送される第１の記録シートと第１の記録シートに続いて搬送される第２の記録シートとを部分的に重ね合わせるように、第１および第２の搬送手段を制御する制御手段と、搬送経路の第１の搬送手段と第２の搬送手段との間に進入した状態で搬送中の記録シートの先端と突き当たって該記録シートの斜行を矯正する突き当て面３０５ｃを有し、突き当て面が搬送経路から退避できるように搬送中の記録シートの面に対して上方および下方に移動可能に構成されている斜行矯正手段３０５と、を備えている。【選択図】  図１
2013014405.tif 000002
【特許請求の範囲】
【請求項１】
搬送経路に沿って記録シートを搬送する第１の搬送手段と、
前記第１の搬送手段よりも前記記録シートの搬送方向の下流側に設けられ、前記搬送経路に沿って前記記録シートを搬送する第２の搬送手段と、
先行して搬送される第１の記録シートと前記第１の記録シートに続いて搬送される第２の記録シートとを部分的に重ね合わせるように、前記第１および第２の搬送手段を制御する制御手段と、
前記搬送経路の前記第１の搬送手段と前記第２の搬送手段との間に進入した状態で搬送中の記録シートの先端と突き当たって該記録シートの斜行を矯正する突き当て面を有し、前記突き当て面が前記搬送経路から退避できるように前記搬送中の記録シートの面に対して上方および下方に移動可能に構成されている斜行矯正手段と、を備えている、シート搬送装置。
【請求項２】
前記制御手段は、
前記第１の記録シートの先端が前記突き当て面を通過する前に、前記第２の記録シートを前記第１の記録シートの上方に部分的に重ねて搬送する場合には前記突き当て面を前記搬送経路の上方に退避させておき、前記第２の記録シートを前記第１の記録シートの下方に部分的に重ねて搬送する場合には前記突き当て面を前記搬送経路の下方に退避させておき、
前記第１の記録シートの後端が前記突き当て面を通過する前であって前記第２の記録シートの先端が前記突き当て面に到達する前に前記突き当て面を前記搬送経路に進入させる、請求項１に記載のシート搬送装置。
【請求項３】
前記制御手段は、前記第２の記録シートの先端が前記突き当て面に突き当たった状態で前記第２の記録シートを待機させ、所定のタイミングで前記突き当て面を前記搬送経路から退避させて前記第２の記録シートの搬送を再開させる、請求項２に記載のシート搬送装置。
【請求項４】
前記第２の記録シートに後続する第３の記録シートを前記第２の記録シートの上方に部分的に重ねて搬送する場合、前記制御手段は、前記第２の記録シートの搬送を再開する際に、前記突き当て面を前記搬送経路の上方に退避させ、
前記第３の記録シートを前記第２の記録シートの下方に部分的に重ねて搬送する場合、前記制御手段は、前記第２の記録シートの搬送を再開する際に、前記突き当て面を前記搬送経路の下方に退避させる、請求項３に記載のシート搬送装置。
【請求項５】
前記第１の搬送手段よりも前記搬送方向の下流側であって前記斜行矯正手段よりも前記搬送方向の上流側に、搬送中の記録シートを検知するシート検知センサを有している、請求項１から４のいずれか１項に記載のシート搬送装置。
【請求項６】
請求項１から５のいずれか１項に記載のシート搬送装置を備え、前記シート搬送装置によって搬送された記録シートに液体を吐出して前記記録シートに画像の記録を行う記録装置。
【請求項７】
前記制御手段は、前記第１の記録シートに記録されるべき画像のデータである記録情報から算出された前記第１の記録シートの後方の余白部の長さおよび前記第２の記録シートの前方の余白部の長さに基づいて、前記第２の記録シートを前記第１の記録シートの上に重ねるか下に重ねるかを決定する、請求項６に記載の記録装置。
【請求項８】
請求項３または４に記載のシート搬送装置と、前記第１の搬送手段よりも前記搬送方向の下流側であって前記斜行矯正手段よりも前記搬送方向の上流側に配置されたシート検知センサと、を備え、該シート搬送装置によって搬送された記録シートに液体を吐出して記録シートに画像の記録を行う記録装置であって、
前記所定のタイミングは、前記シート検知センサで検出した記録シートの位置情報と、前記第１の記録シートおよび前記第２の記録シートに記録されるべき画像のデータである記録情報に基づいて算出される余白部の長さに基づいて決定される、記録装置。
【請求項９】
請求項１に記載のシート搬送装置を用いて、第１の記録シートと第２の記録シートとを部分的に重ねて搬送するシート搬送方法であって、
前記第２の記録シートを前記第１の記録シートの上方に部分的に重ねて搬送するか、下方に部分的に重ねて搬送するかを判定するステップと、
前記第１の記録シートの先端が前記突き当て面を通過する前に、前記第２の記録シートを前記第１の記録シートの上方に部分的に重ねて搬送すると判定された場合には前記突き当て面を前記搬送経路の上方に退避させておき、前記第２の記録シートを前記第１の記録シートの下方に部分的に重ねて搬送すると判定された場合には前記突き当て面を前記搬送経路の下方に退避させておくステップと、
前記第１の記録シートの後端が前記突き当て面を通過する前であって前記第２の記録シートの先端が前記突き当て面に到達する前に前記突き当て面を前記搬送経路に進入させるステップと、を有するシート搬送方法。
【請求項１０】
前記突き当て面を前記搬送経路に進入させるステップの後に、前記第２の記録シートの先端が前記突き当て面に突き当たった状態で前記第２の記録シートを待機させ、所定のタイミングで前記突き当て面を前記搬送経路から退避させて前記第２の記録シートの搬送を再開させるステップを有する、請求項９に記載のシート搬送方法。
【請求項１１】
前記第２の記録シートに後続する第３の記録シートを前記第２の記録シートの上方に部分的に重ねて搬送するか、下方に部分的に重ねて搬送するかを判定するステップを有し、
前記第３の記録シートを前記第２の記録シートの上方に部分的に重ねて搬送すると判定された場合、前記第２の記録シートの搬送を再開させるステップにおいて前記突き当て面を前記搬送経路の上方に退避させ、
前記第３の記録シートを前記第２の記録シートの下方に部分的に重ねて搬送すると判定された場合、前記第２の記録シートの搬送を再開させるステップにおいて前記突き当て面を前記搬送経路の下方に退避させる、請求項１０に記載のシート搬送方法。
【発明の詳細な説明】
【技術分野】
【０００１】
本発明は、複数枚の記録シートを部分的に重ね合わせて搬送するようにしたシート搬送装置および当該シート搬送装置を備えた記録装置に関するものである。
【背景技術】
【０００２】
従来から、例えばプリンタのような記録装置においては記録時間の短縮化が求められている。このため、従来の記録装置では、複数枚の記録シートに連続して記録する場合に、記録シートの間隔をできるだけ詰めて搬送するだけにとどまらず、先行する記録シートと後続の記録シートの一部を重ね合わせて搬送する方法が採用されている。
【０００３】
記録シートとしての記録紙を重ね合わせて搬送する方法が、特許文献１に開示されている。特許文献１では、２つの搬送路から交互に搬送されてきた記録紙を重ね合わせる重ね合わせ部において、重ね合わせ部の上側および下側にそれぞれ上下方向に移動可能な一対の重ね合わせ部材が配置されている。上側の重ね合わせ部材を下に、または下側の重ね合わせ部材を上に移動させることで、先行する記録紙の後端部を下または上に変位させる。そこに後続の記録紙を載せるまたは潜り込ませることで、後続紙を先行紙の上面もしくは下面に重ね合わせる。
【先行技術文献】
【特許文献】
【０００４】
【特許文献１】特開２００１−３２４８４４号公報
【発明の概要】
【発明が解決しようとする課題】
【０００５】
しかしながら、特許文献１に記載の構成では、先行する記録紙の後端に重ねられた後続の記録紙は、斜行を矯正されることなく重ね合わせ部の下流に位置する記録部に搬送されてしまう。記録紙が斜行した場合、画像形成部で記録紙に対して斜めに画像が形成されてしまう懸念がある。
【０００６】
本発明は、複数枚の記録シートを部分的に重ねて搬送することができるシート搬送装置およびこれを備えた記録装置において、複数枚の記録シートの各々の斜行を矯正することができるシート搬送装置および記録装置を提供することを目的とするものである。また、本発明は、このシート搬送装置を用いたシート搬送方法も提供する。
【課題を解決するための手段】
【０００７】
本発明のシート搬送装置は、上記目的を達成するために、搬送経路に沿って記録シートを搬送する第１の搬送手段と、前記第１の搬送手段よりも前記記録シートの搬送方向の下流側に設けられ、前記搬送経路に沿って前記記録シートを搬送する第２の搬送手段と、先行して搬送される第１の記録シートと前記第１の記録シートに続いて搬送される第２の記録シートとを部分的に重ね合わせるように、前記第１および第２の搬送手段を制御する制御手段と、前記搬送経路の前記第１の搬送手段と前記第２の搬送手段との間に進入した状態で搬送中の記録シートの先端と突き当たって該記録シートの斜行を矯正する突き当て面を有し、前記突き当て面が前記搬送経路から退避できるように前記搬送中の記録シートの面に対して上方および下方に移動可能に構成されている斜行矯正手段と、を備えている。
【０００８】
また、本発明の記録装置は、上記のシート搬送装置を備え、シート搬送装置によって搬送された記録シートに液体を吐出して記録シートに画像の記録を行う。
【０００９】
本発明のシート搬送方法は、上記のシート搬送装置を用いて、第１の記録シートと第２の記録シートとを部分的に重ねて搬送する方法に関する。シート搬送方法は、前記第２の記録シートを前記第１の記録シートの上方に部分的に重ねて搬送するか、下方に部分的に重ねて搬送するかを判定するステップと、前記第１の記録シートの先端が前記突き当て面を通過する前に、前記第２の記録シートを前記第１の記録シートの上方に部分的に重ねて搬送すると判定された場合には前記突き当て面を前記搬送経路の上方に退避させておき、前記第２の記録シートを前記第１の記録シートの下方に部分的に重ねて搬送すると判定された場合には前記突き当て面を前記搬送経路の下方に退避させておくステップと、前記第１の記録シートの後端が前記突き当て面を通過する前であって前記第２の記録シートの先端が前記突き当て面に到達する前に前記突き当て面を前記搬送経路に進入させるステップと、を有する。
【発明の効果】
【００１０】
本発明によれば、斜行矯正手段により、各々の記録シートの斜行を矯正することができる。また、１つの斜行矯正手段が記録シートの搬送経路の上方および下方から搬送経路に進入して先行する記録シートの後端を上／下のどちらにも押し付けることができる。そのため、後続の記録シートは先行する記録シートの下／上のどちら側にも重ね合わせることができる。
【図面の簡単な説明】
【００１１】
【図１】第１実施例の記録装置の概略断面図である。
【図２】第１実施例の記録装置の制御系の概略構成を示すブロック図である。
【図３】第１実施例の記録装置の記録時の制御フロー図である。
【図４】第１実施例の記録シートの重ね合わせ状態の説明図である。
【図５】第１実施例の記録装置の重ね合わせ処理の制御フロー図である。
【図６】第１実施例の記録装置の重ね合わせ処理の概略図である。
【図７】第１実施例の記録装置の重ね合わせ処理の概略図である。
【図８】第２実施例の記録シートの重ね合わせ状態の説明図である。
【図９】第２実施例の記録装置の重ね合わせ処理の制御フロー図である。
【図１０】第２実施例の記録装置の重ね合わせ処理の制御フロー図である。
【図１１】第２実施例の記録装置の重ね合わせ処理の概略図である。
【図１２】第２実施例の記録装置の重ね合わせ処理の制御フロー図である。
【図１３】第２実施例の記録装置の重ね合わせ処理の概略図である。
【発明を実施するための形態】
【００１２】
図１は本発明による第１の実施例の記録装置の概略断面図である。本実施例の記録装置は、シート搬送装置およびキャリッジ部４００を備えている。シート搬送装置は、給送部１００、搬送経路２００および搬送部３００を備えている。搬送経路２００は、給送部１００から給送された記録シートＰを搬送部３００に搬送する。搬送部３００は、搬送経路２００を搬送されてきた記録シートＰを、記録ヘッドＨで記録を行うための記録領域内を搬送させ、さらに記録終了後の記録シートＰを機外に排出させる。キャリッジ部４００は、記録シートＰに記録を行う記録手段である記録ヘッドＨを走査する。
【００１３】
給送部１００は、記録シートＰを収納するカセット１０１と、カセット１０１に収納された最上位の記録シートＰに所定の押圧力で当接した状態で回転することで記録シートＰを送り出す給送ローラ１０２と、を備えている。なお、カセット１０１の前端部には給送ローラ１０２により複数枚重なって送り出されてしまった記録シートＰを１枚の記録シートに分離する分離部材１０３が設けられている。
【００１４】
搬送経路２００には、第１の搬送手段としての中間ローラ対２０１、ガイド部２０２およびシート検知センサ２０３などが設けられている。中間ローラ対２０１は、給送部１００から給送されてきた記録シートＰを搬送部３００に搬送する中間ローラ２０１ａと、中間ローラ２０１ａと従動回転する中間ピンチローラ２０１ｂと、から成る。第１の搬送手段は、このような中間ローラ対２０１に限らず、種々の構成を利用することができる。ガイド部２０２は、搬送経路２００を搬送される記録シートをガイドする。シート検知センサ２０３は、記録シートＰの先端および後端を検知する。なお、本明細書において、記録シートについて「先」または「前」と述べた場合、記録シートの搬送方向Ｔの下流側であることを意味し、「後」と述べた場合、記録シートの搬送方向Ｔの上流側であることを意味する。なお、搬送経路とは、ガイド部２０２が形成されている部分のみに限らず、記録シートが搬送される路全体を意味する。
【００１５】
搬送部３００は、ＬＦローラ対（第２の搬送手段）３０１、プラテン３０２、排出ローラ対３０３および押込拍車３０４を備えている。ＬＦローラ対３０１は、搬送経路２００を搬送されてきた記録シートＰを、記録ヘッドＨで記録を行う記録領域内を搬送させる。ＬＦローラ３０１対は、ＬＦローラ３０１ａと、ＬＦローラ３０１ａと従動回転するＬＦピンチローラ３０１ｂと、から成る。プラテン３０２は、記録ヘッドＨの直下で記録中の記録シートＰを支持する。排出ローラ対３０３は、記録シートの後端がＬＦローラ対３０１を抜けた後の記録シートＰの搬送を行うとともに、記録が終了した記録シートＰを機外に排出する。排出ローラ３０３は、排出ローラ３０３ａと、排出ローラ３０３ａと従動回転する拍車３０３ｂと、から成る。押込拍車３０４は、排出ローラ対３０３よりも搬送方向Ｔの上流側に設けられ、記録領域内での記録シートＰの浮き上がりを抑制する。なお、第２の搬送手段は、このようなＬＦローラ対３０１に限らず、種々の構成を利用することができる。
【００１６】
ＬＦローラ対３０１よりも搬送方向Ｔの上流側に、ＬＦローラ３０１ａの回転軸を中心に回動する斜行矯正手段３０５が設けられている。斜行矯正手段３０５は、搬送経路中に進入して、搬送中の記録シートと衝突する突き当て面３０５ｃを有する。斜行矯正手段３０５が回動することで、突き当て面３０５ｃは、搬送経路２００の上方および下方のどちら側にも移動して、搬送経路２００から退避できるようになっている。斜行矯正手段３０５は、記録シートＰの上面に当接して記録シートを下方に押し下げる上面当接部３０５ａと、記録シートの下面に当接して記録シートを上方に押し上げる下面当接部３０５ｂと、をさらに有している。上面当接部３０５ａ、下面当接部３０５ｂおよび突き当て面３０５ｃは、ＬＦローラ３０１ａの回転軸に支持された腕部３０５ｄによって支持されている。腕部３０５ｄは、斜行矯正手段３０５がどの角度回動した場合であっても、記録シートの搬送経路２００の外側に位置するように構成されている。斜行矯正手段３０５の突き当て面３０５ｃは、装置が動作していない間は、搬送経路２００の上方に退避していて、記録処理の際に搬送経路２００に進入することがある。本実施例では、斜行矯正手段３０５は、搬送経路２００のシート幅よりも外側に位置し、駆動源としての駆動モータ（不図示）に連結したカム（不図示）によって駆動される。ここで、シート幅とは、記録シートの、搬送方向Ｔに直交する方向（幅方向）の幅を言う。
【００１７】
なお、上述した形態では、斜行矯正手段３０５は、ＬＦローラ３０１ａの回転軸まわりに回動する。しかし、斜行矯正手段３０５は、突き当て面３０５ｃが搬送経路２００に進入し、且つ、記録シートＰの面に対して上方および下方に退避できれば、どのように構成されていても良い。本実施形態では、上面当接部３０５ａおよび下面当接部３０５ｂは、突き当て面３０５ｃの両側の部分である。場合によっては、上面当接部３０５ａおよび下面当接部３０５ｂは、突き当て面３０５ｃの一部を含んでいても良い。
【００１８】
キャリッジ部４００は、記録ヘッドＨを搭載するキャリッジ４０１を備えている。キャリッジ４０１は、搬送部３００により搬送される記録シートＰの幅方向である主走査方向に移動可能に支持されている。
【００１９】
次に上記の記録装置の制御系の構成について説明する。図２は、本実施例における記録装置の制御系の概略構成を示すブロック図である。
【００２０】
記録装置は、ホストコンピュータ５００からプリンタドライバ５０１を介して送られてきたデータをインターフェース（Ｉ／Ｆ）部５１１を介して受信する。シートに記録されるべき画像のデータ（以下、記録データと呼ぶこともある。）である記録情報は、ホストコンピュータ５００から記録装置またはシート搬送装置へ送られる。
【００２１】
記録装置は、例えば、記録データの処理や各部の動作を制御するＣＰＵ５１２、ＣＰＵ５１２によって実行されるデータを格納したＲＯＭ５１３および一時的な記憶装置としてのＲＡＭ５１４を有する制御手段を搭載している。ＲＡＭ５１４は、ホストコンピュータ５００からの受信データおよびＣＰＵ５１２によって実行される処理データを一時的に記憶する。ＣＰＵ５１２、ＲＯＭ５１３およびＲＡＭ５１４は、キャリッジ駆動モータ５１５、給送駆動モータ５１６、搬送駆動モータ５１７、斜行矯正駆動モータ５１８、記録ヘッド駆動部５１９、および各種センサ５２０と接続している。各種センサ５２０の１つとして、前述のシート検知センサ２０３がある。キャリッジ駆動モータ５１５はキャリッジ４０１を駆動する。給送駆動モータ５１６は給送ローラ１０２と中間ローラ対２０１を駆動する。搬送駆動モータ５１７はＬＦローラ対３０１と排出ローラ対３０３を駆動する。斜行矯正駆動モータ５１８は斜行矯正手段３０５を駆動する。記録ヘッド駆動部５１９は、記録ヘッドＨを駆動して、記録ヘッドＨから液体としてのインクを吐出させる。
【００２２】
次に記録時の動作について説明する。図３は記録装置の記録時の動作フローである。ホストコンピュータ５００から記録データを受信すると、記録データである画像情報（記録情報）はＲＡＭ５１４に一時的に記憶される。そして、ＣＰＵ５１２によって、記録データに基づく画像の記録に必要な記録シートの枚数（以下、記録枚数と呼ぶ。）、記録シートのサイズ、記録画像の位置が解析される（ステップ６０１）。そして、記録枚数が複数か否かが判断される（ステップ６０２）。記録枚数が複数の場合、記録シートのサイズと記録画像の位置から解析された余白部となるべき位置を算出する（ステップ６０３）。記録シートの余白部の位置は記録シートの先端および後端から、記録画像開始位置および記録画像終了位置までの距離として算出する。
【００２３】
先行して搬送される記録シート（以後、先行シートと呼ぶ。）の後端および後続して搬送される記録シート（以後、後続シートと呼ぶ。）の先端に余白部があるか否かを判断し（ステップ６０４）、余白部がある場合には、重ね合わせ処理を行う（ステップ６０５）。重ね合わせ処理とは、先行シートと後続シートを一部重ね合わせた状態で搬送させる処理である。本実施例では、重ね合わせ処理６０５中に、記録ヘッドＨによって先行シートに記録が行われている。先行シートへの記録が終了すると、引き続き、重ね合わされている後続シートに記録を行う。後続シートの記録終了後に記録シートを装置外に排出する（ステップ６０７）。ここで、先行シートは後続シートの記録動作中に装置外に排出されても良い。
【００２４】
１枚の記録シートのみの記録の場合や余白部となるべき部分がない場合には、通常処理の記録動作が行われる（ステップ６０６）。通常処理とは、記録シートを重ね合わせることなく、記録シートを搬送する処理である。この通常処理中に、当該記録シートに記録ヘッドにより記録が行われる。なお、複数枚の記録シートに対して重ね合わせ処理を実施するか否かは、プリンタドライバ５０１上でユーザーが選択できるようになっていても良い。
【００２５】
次に重ね合わせ処理について詳しく説明する。図４は記録シートの重ね合わせを表す図であり、図５は重ね合わせ処理の動作フロー、図６および図７は重ね合わせ動作の概略図である。図４（ａ）は、３枚の記録シートＰ１〜Ｐ３を示している。記録シートの搬送方向Ｔにおいて、第１の記録シートＰ１の後方の余白部の長さｃ１は、第１の記録シートＰ１の長さＬと、第１の記録シートＰ１の先端から記録画像の後端までの距離ｂ１とにより、「ｃ１＝Ｌ−ｂ１」によって算出できる。同様に、第２および第３の記録シートＰ２，Ｐ３の後方の余白部の長さｃ２，ｃ３は、それぞれ、「ｃ２＝Ｌ−ｂ２」および「ｃ３＝Ｌ−ｂ３」によって算出される。なお、記録シートの先端から記録画像の後端までの距離ｂ１〜ｂ３は、制御手段５１２，５１３，５１４によって画像情報に基づいて算出できる。
【００２６】
重ね合わせ処理６０５では、まず、先行シートＰ１の後方の余白部ｃ１が、後続シートＰ２の前方の余白部ａ２より大きいか否かを判定する（ステップ７０１）。図４（ｂ）で示すように、先行シートの後方の余白部分ｃ１が、後続シートの前方の余白部ａ２より大きい場合、後続シートＰ２の先端を先行シートＰ１の余白部ｃ１の上に重ねる上重ね処理を行う（ステップ７０２）。また、図４（ｃ）のように、後続シートＰ２の前方の余白部ａ２が、先行シートＰ１の後方の余白部ｃ１より大きい場合、図４（ｄ）で示すように先行シートＰ１の後方の余白部ｃ１の下に後続シートＰ２を重ねる下重ね処理を行う（ステップ７０３）。なお、２番目の記録シートＰ２と３番目の記録シートＰ３との間でも、同様に、上重ね処理７０２または下重ね処理７０３を行えばよい。このように、制御手段は、記録情報から算出された第１の記録シートＰ１の後方の余白部の長さおよび第２の記録シートＰ２の前方の余白部の長さに基づいて、第２の記録シートＰ２を第１の記録シートＰ１の上に重ねるか下に重ねるかを決定する。
【００２７】
上記のように、連続する記録シートにおいて、余白部が長い方の記録シートを下にして重ねることで、互いに重ね合わせられた記録シートの全長を短くすることができるという利点がある。なお、先行シートの後方の余白部分ｃ１と、後続シートの前方の余白部ａ２とが同じ長さであった場合、どちらの記録シートを下にしても良い。
【００２８】
［上重ね処理（ステップ７０２）］
まず搬送経路２００から退避している斜行矯正手段３０５の突き当て面３０５ｃを搬送経路２００に進入させる（ステップ７０４）。このとき、突き当て面３０５ｃが搬送経路２００を搬送されてくる記録シートの搬送方向Ｔと直交するように配置させることが好ましい。
【００２９】
カセット１０１に積載された記録シートの最上位置の記録シートは、給送ローラ１０２によりピックアップされた後、中間ローラ対２０１に向かって給送される。ここで、カセット１０１内で最上位置の記録シートの下に位置する記録シートが重なってピックアップされた場合には、分離部材１０３で１枚に分離されて中間ローラ対２０１に向かって給送される。中間ローラ対２０１に到達した記録シートＰ１は中間ローラ対２０１により搬送経路２００を搬送され、途中シート検知センサ２０３で記録シートＰ１の先端Ｐａが検出されて、記録シートＰ１の先端Ｐａが突き当て面３０５ｃに突き当たる。記録シートＰ１の先端Ｐａが突き当て面３０５ｃに突き当たった状態でさらに中間ローラ対２０１を回転させると、記録シートＰ１の先端は、図６（ａ）に示すようにループ３０５ｌを形成する。さらに、記録シートＰ１の先端Ｐａが突き当て面３０５ｃに沿って整列することで記録シートＰ１の斜行が矯正される（ステップ７０５）。ここで中間ローラ対２０１は、記録シートの先端Ｐａが突き当て面３０５ｃに整列しやすいように、記録シートの幅方向の中央部に、当該幅方向に短いローラであることが望ましい。
【００３０】
また、中間ローラ対２０１よりも搬送方向Ｔの下流側にもう１つの中間ローラ対２０４を設けても良い。この場合、記録シートの先端Ｐａが突き当て面３０５ｃに突き当たって記録シートが整列した後、斜行矯正手段３０５に近い方の中間ローラ対２０４を記録シートから離間させても良い。ここで、複数枚の記録シートに連続して記録を行う際の１枚目の記録シートＰ１の斜行矯正処理は、斜行矯正手段３０５ではなく、停止させた状態のＬＦローラ対３０１が互いに当接している挟持部に記録シートの先端を突き当てることによって行っても良い。この場合にも、狭持部に沿って記録シートＰ１の先端が揃うため、斜行の矯正を行うことができる。
【００３１】
１枚目の記録シート（先行シート）Ｐ１の斜行矯正を行った後、突き当て面３０５ｃを搬送経路２００の上方に退避させる（ステップ７０６）。突き当て面３０５ｃの退避により、記録シートＰ１の先端に形成されていたループ３０５ｌが延ばされて、記録シートＰ１の先端ＰａはＬＦローラ対３０１に噛み込まれる。その後、先行シートＰ１は、ＬＦローラ対３０１により記録領域内のプラテン３０２上を搬送され、キャリッジ４０１に搭載された記録ヘッドＨによって記録が行われる（ステップ７０８）。そして、記録シートＰ１の先端Ｐａが排出ローラ対３０３に到達したか否か判定する（ステップ７０９）。図６（ｂ）で示すように、先行シートＰ１が排出ローラ対３０３に達し、先行シートＰ１がＬＦローラ対３０１と排出ローラ対３０３の両方に噛んだ状態で、搬送経路２００から退避している突き当て面３０５ｃを搬送経路２００内に進入させる（ステップ７０４）。具体的には、第１の記録シートＰ１の後端が突き当て面３０５ｃを通過する前であって第２の記録シートＰ２の先端が突き当て面３０５ｃに到達する前に、突き当て面３０５ｃを搬送経路Ｔに進入させる。これにより、図６（ｃ）で示すように、上面当接部３０５ａが先行シートＰ１の上面を押し下げることで、先行シートＰ１の後端を下方に押し下げる。
【００３２】
この状態で、後続シートＰ２は給送部１００から搬送経路２００を経て給送され、後続シートＰ２の先端Ｐａが斜行矯正手段３０５の突き当て面３０５ｃに突き当たる。これにより後続シートＰ２の斜行が矯正され、後続シートＰ２は、その先端部にループ３０５ｌを形成した状態でその位置に待機させられる（ステップ７１０）。その間にも先行シートＰ１への記録は続けられている（ステップ７０８）。先行シートＰ１は記録が行われながら搬送されているため、後続シートＰ２の搬送スピードは先行シートＰ１の搬送スピードよりも早い。したがって、図６（ｃ）に示すように、後続シートＰ２は、先行シートＰ１に部分的に重なる程度に追いつき、先行シートＰ１に部分的に重なった状態で待機する。
【００３３】
この後、所定のタイミングで突き当て面３０５ｃを搬送経路２００から退避させて第２の記録シートＰ２の搬送を再開させる。好ましい例として、先行シートＰ１の記録画像終了位置（記録画像の後端となるべき位置）がＬＦローラ対３０１を通過したか否かを判断する（ステップ７１１）。先行シートＰ１の記録画像終了位置がＬＦローラ対３０１を通過したら、突き当て面３０５ｃを搬送経路２００の上方に退避させる（ステップ７０６）。ここで、シート検知センサ２０３とＬＦローラ対３０１の距離をｓ、記録シートＰ１，Ｐ２の長さをＬ、先行シートＰ１の先端から記録画像終了位置までの距離（図４も参照）をｂ１とする。このとき、先行シートＰ１の記録画像終了位置ｂ１がＬＦローラ対３０１を通過した時点とは、シート検知センサ２０３が先行シートＰ１の先端Ｐａを検出してから、「ｓ＋ｂ１」搬送された時点である。このように、シート検知センサ２０３で検出した記録シートの位置情報と、記録シートに記録されるべき画像のデータである記録情報に基づいて算出される余白部の長さに基づいて、突き当て面３０５ｃの退避の所定のタイミングが決定される。
【００３４】
突き当て面３０５ｃを搬送経路２００の上方に退避させることよって、図６（ｄ）で示すように、後続シートＰ２の先端のループ３０５ｌが解消されて、後続シートＰ２の先端がＬＦローラ対３０１に噛み込む。これにより、先行シートＰ１と後続シートＰ２が部分的に重なった状態でＬＦローラ対３０１により搬送される。そして、先行シートＰ１への記録が終了した後、両シートＰ１，Ｐ２はさらに搬送されて、後続シートＰ２への記録が開始される。
【００３５】
［下重ね処理（ステップ７０３）］
上記の上重ね処理（ステップ７０２）と同様に、突き当て面３０５ｃを搬送経路２００内に進入させ（ステップ７０４）、突き当て面３０５ｃが搬送経路２００を搬送されてくる記録シートＰ１の搬送方向と直交する位置に配置させる。
【００３６】
カセット１０１から給送された記録シートＰ１は、中間ローラ対２０１により搬送経路２００を搬送され、シート検知センサ２０３で記録シートＰ１の先端Ｐａが検出され、記録シートＰ１の先端Ｐａが斜行矯正手段３０５の突き当て面３０５ｃに突き当たる。記録シートＰ１の先端Ｐａが突き当て面３０５ｃに突き当たった状態でさらに中間ローラ対２０１を回転させると記録シートＰ１は図７（ａ）に示すようにループ３０５ｌを形成する。さらに、記録シートＰ１の先端Ｐａは突き当て面３０５ｃに沿って整列し、記録シートＰ１の斜行が矯正される（ステップ７０５）。
【００３７】
記録シートＰ１の斜行矯正を行った後、突き当て面３０５ｃを搬送経路２００の下方に退避させる（ステップ７０７）。すると、記録シートＰ１の先端ＰａはＬＦローラ対３０１に噛み込まれて、記録シートＰ１がＬＦローラ対３０１により記録領域内に搬送される。記録領域内で記録シートＰ１に対して、キャリッジ４０１に搭載された記録ヘッドＨで記録が行われる（ステップ７０８）。図７（ｂ）で示すように、先行シートＰ１の先端Ｐａが排出ローラ対３０３に到達したか否か判断する（ステップ７０９）。先行シートＰ１の先端が排出ローラ対３０３に到達したら、さらに先行シートＰ１を搬送し、先行シートの後端Ｐｂがシート検知センサ２０３を通過したか否か判断する（ステップ７１２）。先行シートＰ１の後端Ｐｂがシート検知センサ２０３を通過したら、搬送経路２００の下方に退避していた突き当て面３０５ｃを搬送経路２００内に進入させる（ステップ７１３）。突き当て面３０５ｃは、第１の記録シートＰ１の後端が突き当て面３０５ｃを通過する前であって第２の記録シートＰ２の先端が突き当て面３０５ｃに到達する前に、搬送経路２００に進入させられる。これにより、図７（ｃ）に示すように、上面当接部３０５ｂが先行シートＰの下面を押し上げることで、先行シートＰ１の後端が上方に押し上げられる。ここで、シート検知センサ２０３はシートＰ１の後端Ｐｂが通過したことを検出する。
【００３８】
斜行矯正手段３０５により先行シートＰ１の後端が上方に押し上げられた状態で、後続シートＰ２は給送部１００から搬送経路２００を経て給送され、後続シートＰ２の先端Ｐａが斜行矯正手段３０５の突き当て面３０５ｃに突き当たる。これにより、斜行矯正手段３０５の斜行が矯正され、斜行矯正後の後続シートＰ２はその位置で待機させられる（ステップ７１０）。その間にも先行シートＰ１の記録が続けられている（ステップ７０８）。
【００３９】
この後、所定のタイミングで突き当て面３０５ｃを搬送経路２００から退避させて第２の記録シートＰ２の搬送を再開させる。好ましい例として、先行シートＰ１の後端Ｐｂが待機中の後続シートＰ２の記録画像開始位置を通過したか否かを判断する（ステップ７１４）。先行シートＰ１の後端が待機中の後続シートＰ２の記録画像開始位置を通過したら、突き当て面３０５ｃを搬送経路２００の下方に退避させる（ステップ７０７）。ここで、シート検知センサ２０３と斜行矯正手段３０５の突き当て面３０５ｃとの距離をｈ、後続シートＰ２の斜行矯正時に形成されるループ量をｌ、後続シートＰ２の先端から記録画像開始位置までの距離をａ２とする。ループ量ｌは、ループ３０５ｌの形成による、記録シートの搬送方向Ｔに沿った長さの短縮分で定義される。つまり、ループ量ｌは、記録シートが突き当て面３０５ｃに突き当たってからループの形成のために更に中間ローラ対２０１を可動させたときの、記録シートの搬送量となる。この場合、先行シートＰ１の後端Ｐｂが待機中の後続シートＰ２の記録画像開始位置ａ２を通過した時点とは、シート検知センサ２０３が先行シートＰ１の後端Ｐｂを検出してから、「ｈ−（ａ２−ｌ）」搬送された時点である。突き当て面３０５ｃを搬送経路２００の下方に退避させることよって、図７（ｄ）で示すように、後続シートＰ２の先端のループ３０５ｌが解消される。これにより、後続シートＰ２の前方の余白部が先行シートＰ１の後端に重なった状態で後続シートＰ２がＬＦローラ対３０１に噛み込む。これにより、先行シートＰ１と後続シートＰ２がＬＦローラ対３０１により部分的に重なって搬送される。
【００４０】
２枚目の記録シートＰ２に後続して３枚目の記録シートＰ３を搬送する際にも、上記の上重ね処理または下重ね処理を行えば、図４（ｂ）または図４（ｄ）に示すように、連続する記録シートＰ１〜Ｐ３を部分的に重ねて搬送することができる。
【００４１】
本発明によれば、斜行矯正手段３０５は、各々の記録シートの斜行を矯正するだけでなく、先行シートの上方および下方のいずれに後続シートを重ねるかを選択することができる。また、斜行矯正手段３０５のこれらの機能は、搬送中の記録シートと突き当たるように搬送経路に進入し、先行シートの後端を押し上げまたが押し下げるように搬送経路から退避する動作によって容易に実現できる。また、ＬＦローラ対３０１が先行シートを搬送している間に後続シートの斜行矯正を行うことができるので、斜行矯正処理のために記録速度を低下させる必要がないという利点もある。
【００４２】
図４（ｂ）または図４（ｄ）に示す例では、先行シートの後方の余白部の上に後続シートの先端を、または後続シートの前方の余白部の上に先行シートの後端を決まった方向に重ね合わせている。以下では、さらに記録速度を向上させるため、記録シート毎に最適な重ね合わせを実施する例について詳しく述べる。
【００４３】
図８は第２の実施例における記録シートの重ね合わせ状態を表す図で、図９は第２の実施例における重ね合わせ処理の動作フローを示している。１枚目の記録シートＰ１の後方の余白部の長さｃ１（＝Ｌ−ｂ１）が、２枚目の記録シートＰ２の前方の余白部の長さａ２より大きいか否か判定する（ステップ６１１）。そして、２枚目の記録シートＰ２の後方の余白部の長さｃ２（＝Ｌ−ｂ２）が、３枚目の記録シートＰ３の前方の余白部ａ３より大きいか否か判定する（ステップ６１２）。図８（ａ）のように、ｃ１＞ａ２且つｃ２≦ａ３であるとき、上／下重ね処理６１３を行う。上／下重ね処理６１３では、図８（ｂ）に示すように、２枚目の記録シートＰ２の先端を１枚目の記録シートＰ１の後方の余白部の上に重ね、３枚目の記録シートＰ３の前方の余白部を２枚目の記録シートＰ２の後端の下に重ね合わせる。また、図８（ｃ）のように、ｃ１≦ａ２且つｃ２＞ａ３であるとき、下／上重ね処理６１５を行う。下／上重ね処理６１５では、図８（ｄ）に示すように、２枚目の記録シートＰ２の前方の余白部を１枚目の記録シートＰ１の後端の下に重ね、３枚目の記録シートＰ３の先端を２枚目の記録シートの後方の余白部の上に重ね合わせる。また、ｃ１＞ａ２且つｃ２＞ａ３であるときには上／上重ね処理６１４を行い、ｃ１≦ａ２且つｃ２≦ａ３であるときには下／下重ね処理６１６を行う。上／上重ね処理６１４では、図４（ｂ）に示すように、１枚目の記録シートＰ１の後方の余白部の上に２枚目の記録シートＰ２を部分的に重ね、２枚目の記録シートＰ２の後方の余白部の上に３枚目の記録シートＰ３を部分的に重ねる。下／下重ね処理６１６では、図４（ｄ）に示すように、１枚目の記録シートＰ１の後方の余白部の下に２枚目の記録シートＰ２を部分的に重ね、２枚目の記録シートＰ２の後方の余白部の下に３枚目の記録シートＰ３を部分的に重ねる。
【００４４】
このように、各記録シートＰ１〜Ｐ３の余白部の長さに応じて、記録シートの重ね合わせ方を適切に選択することで、記録シートの重ね合わせ量を増大させることができる。その結果、互いに重ね合わせられた記録シートの全長が短くなるため、記録速度を向上することができる。以下では、上／下重ね処理６１３および下／上重ね処理６１５について詳細に説明する。
【００４５】
［上／下重ね処理（ステップ６１３）］
図１０は上／下重ね処理６１３の動作フロー、図１１は上／下重ね処理６１３の動作を概略的に示している。１枚目の記録シートＰ１を搬送する際に、搬送経路２００上方に退避している突き当て面３０５ｃを搬送経路２００に進入させる（ステップ８０１）。１枚目の記録シートＰ１を給送部１００から給送ローラ１０２および中間ローラ対２０１により搬送経路２００を経て給送する。搬送中に、シート検知センサ２０３で記録シートＰ１の先端Ｐａを検出して、記録シートＰ１の先端を斜行矯正手段３０５の突き当て面３０５ｃに突き当て、記録シートＰ１の斜行を矯正する（ステップ８０２）。このとき、上述したように、記録シートＰ１の先端にループを形成する。
【００４６】
記録シートＰ１の斜行矯正を行った後、突き当て面３０５ｃを搬送経路２００の上方に退避させる（ステップ８０３）。すると、記録シートＰ１の先端のループが解消されて記録シートＰ１の先端ＰａはＬＦローラ対３０１に噛み込まれる。その後、１枚目の記録シートＰ１は、ＬＦローラ対３０１により記録領域内に搬送され、キャリッジ４０１に搭載された記録ヘッドＨで記録が行われる（ステップ８０４ａ）。そして、記録シートＰ１の先端Ｐａが排出ローラ対３０３に到達したか否かを判定する（ステップ８０５ａ）。記録シートＰ１がＬＦローラ対３０１と排出ローラ対３０３の両方に噛んだ状態で、搬送経路２００上方に退避している突き当て面３０５ｃを搬送経路２００内に進入させる（ステップ８０１）。それによって、図１１（ａ）で示すように、斜行矯正手段３０５の上面当接部３０５ａが記録シートＰ１の後端を下方に押し下げる。
【００４７】
その状態で、２枚目の記録シートＰ２は給送部１００から搬送経路２００を経て給送され、２枚目の記録シートＰ２の先端Ｐａが斜行矯正手段３０５の突き当て面３０５ｃに突き当たり斜行が矯正される。２枚目の記録シートＰ２は斜行矯正後その位置で一旦待機させられる（ステップ８０６ａ）。その間にも１枚目の記録シートＰ１は記録が続けられ（ステップ８０４ａ）、１枚目の記録シートＰ１の記録画像終了位置がＬＦローラ対３０１を通過したか否かが判断される（ステップ８０７）。１枚目の記録シートＰ１の記録画像終了位置がＬＦローラ対３０１を通過したら、突き当て面３０５ｃを搬送経路２００の下方に退避させる（ステップ８０８）。それによって、図１１（ｂ）で示すように、２枚目の記録シートＰ２の先端Ｐａが１枚目の記録シートＰ１の後方の余白部の上に重なった状態で、２枚目の記録シートＰ２がＬＦローラ対３０１に噛み込む。これにより、１枚目の記録シートＰ１と２枚目の記録シートＰ２がＬＦローラ対３０１により部分的に重なって搬送され、その後、１枚目の記録シートＰ１への残りの記録と、２枚目の記録シートＰ２への記録を行う（ステップ８０４ｂ）。
【００４８】
次に、２枚目の記録シートＰ２の先端Ｐａが排出ローラ対３０３に到達したか否かを判断する（ステップ８０５ｂ）。２枚目の記録シートＰ２の先端Ｐａが排出ローラ対３０３に到達したら、さらに２枚目の記録シートＰ２の後端Ｐｂがシート検知センサ２０３を通過したか否かを判断する（ステップ８０９）。２枚目の記録シートＰ２の後端Ｐｂがシート検知センサ２０３を通過したら、搬送経路２００の下方に退避していた突き当て面３０５ｃを搬送経路２００内に進入させる（ステップ８１０）。それによって、図１１（ｃ）で示すように、斜行矯正手段３０５の下面当接部３０５ｂが２枚目の記録シートＰ２の後端を上方に押し上げる。ここで、シート検知センサ２０３は２枚目の記録シートＰ２の後端Ｐｂが通過したことを検出することができる。
【００４９】
斜行矯正手段３０５により２枚目の記録シートＰ２の後端が上方に押し上げられた状態で、３枚目の記録シートＰ３は給送部１００から搬送経路２００を経て給送される。３枚目の記録シートＰ３の先端Ｐａが斜行矯正手段３０５の突き当て面３０５ｃに突き当たることで斜行が矯正され、斜行矯正後、３枚目の記録シートＰ３はその位置で待機させられる（ステップ８０６ｂ）。その間にも２枚目の記録シートＰ２は記録が続けられており（ステップ８０４ｃ）、２枚目の記録シートＰ２の後端Ｐｂが待機中の３枚目の記録シートＰ３の記録画像開始位置を通過したか否かを判断する（ステップ８１１）。２枚目の記録シートＰ２の後端Ｐｂが待機中の３枚目の記録シートＰ３の記録画像開始位置ａ３を通過した時点で、突き当て面３０５ｃを搬送経路２００から退避させる（ステップ８１２）。それによって、図１１（ｄ）で示すように、３枚目の記録シートＰ３の前方の余白部が２枚目の記録シートＰ２の後端の下に重なった状態で、３枚目の記録シートＰ３がＬＦローラ対３０１に噛み込む。これにより、２枚目の記録シートＰ２と３枚目の記録シートＰ３がＬＦローラ対３０１により重なって搬送される。ここで、突き当て面３０５ｃの退避方向は４枚目の記録シートを部分的に３枚目の記録シートＰ３に重ねて搬送する場合には、４枚目の記録シートを３枚目の記録シートＰ３の上または下のいずれに重ねるかに応じて変えることが好ましい。すなわち、４枚目の記録シートの先端を３枚目の記録シートＰ３の後端の上に重ねるなら突き当て面３０５ｃを上方に、４枚目の記録シートの先端を下に重ねるなら突き当て面３０５ｃを下方に退避させる。本例では、３枚目以降の記録がない場合は、突き当て面３０５ｃを上方に退避させる。
【００５０】
［下／上重ね処理（ステップ６１５）］
図１２は下／上重ね処理６１５の動作フロー、図１３は下／上重ね処理６１５の動作を概略的に示している。まず、１枚目の記録シートＰ１を搬送する際に、搬送経路２００上方に退避している突き当て面３０５ｃを搬送経路２００に進入させる（ステップ９０１）。１枚目の記録シートＰ１を給送部１００から給送ローラ１０２および中間ローラ対２０１により搬送経路２００を経て給送する。途中、シート検知センサ２０３で記録シートＰ１の先端Ｐａを検出して、記録シートＰ１の先端を斜行矯正手段３０５の突き当て面３０５ｃに突き当てて斜行を矯正する（ステップ９０２）。
【００５１】
記録シートＰ１の斜行矯正を行った後、突き当て面３０５ｃを搬送経路２００の下方に退避させる（ステップ９０３）。すると、記録シートＰ１の先端ＰａはＬＦローラ対３０１に噛み込まれ、その後、ＬＦローラ対３０１により記録領域内に記録シートＰ１が搬送され、キャリッジ４０１に搭載された記録ヘッドＨで記録が行われる（ステップ９０４ａ）。そして、記録シートＰ１の先端Ｐａが排出ローラ対３０３に到達したか否かを判定する（ステップ９０５ａ）。記録シートＰ１の先端Ｐａが排出ローラ対３０３に到達したら、さらに搬送を続け、記録シートＰ１の後端Ｐｂがシート検知センサ２０３を通過したか否かを判定する（ステップ９０６）。記録シートＰ１の後端Ｐｂがシート検知センサ２０３を通過したら、搬送経路２００下方に退避している突き当て面３０５ｃを搬送経路２００内に進入させる（ステップ９０７）。それによって、図１３（ａ）で示すように、斜行矯正手段３０５の下面当接部３０５ｂが記録シートＰ１の後端を上方に押し上げる。ここで、シート検知センサ２０３はシートＰ１の後端Ｐｂが通過したことを検出する。
【００５２】
その状態で、２枚目の記録シートＰ２は給送部１００から搬送経路２００を経て給送される。２枚目の記録シートＰ２の先端Ｐａが斜行矯正手段３０５の突き当て面３０５ｃに突き当たり斜行が矯正され、２枚目の記録シートＰ２は斜行矯正後その位置に待機させられる（ステップ９０８ａ）。その間にも１枚目の記録シートＰ１は記録が続けられ（ステップ９０４ａ）、１枚目の記録シートＰ１の後端Ｐｂが待機中の２枚目の記録シートＰ２の記録画像開始位置を通過したか否かが判定される（ステップ９０９）。１枚目の記録シートＰ１の後端Ｐｂが待機中の２枚目の記録シートＰ２の記録画像開始位置を通過したら、突き当て面３０５ｃを搬送経路２００の上方に退避させる（ステップ９１０）。それによって、図１３（ｂ）で示すように、２枚目の記録シートＰ２の前方の余白部が１枚目の記録シートＰ１の後端の下に重なった状態で、２枚目の記録シートＰ２がＬＦローラ対３０１に噛み込む。その後、１枚目の記録シートＰ１と２枚目の記録シートＰ２が重なってＬＦローラ対３０１により搬送され、１枚目の記録シートＰ１への残りの記録と２枚目の記録シートＰ２への記録が行われる（ステップ９０４ｂ）。
【００５３】
そして、２枚目の記録シートＰ２の先端Ｐａが排出ローラ対３０３に到達したか否かを判定する（ステップ９０５ｂ）。２枚目の記録シートＰ２の先端Ｐａが排出ローラ対３０３に到達したら、記録シートＰ２がＬＦローラ対３０１と排出ローラ対３０３の両方に噛んだ状態で、搬送経路２００から退避していた突き当て面３０５ｃを搬送経路２００内に進入させる（ステップ９０１）。それによって、図１３（ｃ）で示すように、斜行矯正手段３０５の上面当接部３０５ａが２枚目の記録シートＰ２の後端を下方に押し下げる。
【００５４】
その状態で、３枚目の記録シートＰ３は給送部１００から搬送経路２００を経て給送される。３枚目の記録シートＰ３の先端Ｐａが斜行矯正手段３０５の突き当て面３０５ｃに突き当たることで斜行が矯正され、斜行矯正後、３枚目の記録シートＰ３はその位置で待機させられる（ステップ９０８ｂ）。その間にも２枚目の記録シートＰ２は記録が続けられ（ステップ９０４ｃ）、２枚目の記録シートＰ２の記録画像終了位置がＬＦローラ対３０１を通過したか否かを判定する（ステップ９１１）。２枚目の記録シートＰ２の記録画像終了位置がＬＦローラ対３０１を通過したら、突き当て面３０５ｃを搬送経路２００から退避させる（ステップ９１２）。それによって、図１３（ｄ）で示すように、３枚目の記録シートＰ３の先端が２枚目の記録シートＰ２後方の余白部の下に重なった状態で、３枚目の記録シートＰ３がＬＦローラ対３０１に噛み込む。これにより、２枚目の記録シートＰ２と３枚目の記録シートＰ３がＬＦローラ対３０１により部分的に重なって搬送される。その後、２枚目の記録シートＰ２への残りの記録と３枚目の記録シートＰ３への記録が行われる。このように、第１の実施例で説明した処理を連続して行うことで、３枚以上の記録シートを部分的に重ねて搬送することができる。
【００５５】
なお、図３，５，９，１０，１２に記載のフローは、制御手段によって実行される。制御手段は、このようなフローを実行するためのプログラムを有していることが好ましい。このプログラムは、ＲＯＭ５１３に格納されていても良い。
【符号の説明】
【００５６】
Ｐ１、Ｐ２、Ｐ３  記録シート
２００    搬送経路
２０１    中間ローラ対（第１の搬送手段）
３０１    ＬＦローラ対（第２の搬送手段）
３０５    斜行矯正手段
３０５ｃ  突き当て面
【図１】
2013014405.tif 000003
【図２】
2013014405.tif 000004
【図３】
2013014405.tif 000005
【図４】
2013014405.tif 000006
【図５】
2013014405.tif 000007
【図６】
2013014405.tif 000008
【図７】
2013014405.tif 000009
【図８】
2013014405.tif 000010
【図９】
2013014405.tif 000011
【図１０】
2013014405.tif 000012
【図１１】
2013014405.tif 000013
【図１２】
2013014405.tif 000014
【図１３】
2013014405.tif 000015